(57)【要約】【課題】ユーザの手間がかかるのを抑制しながら、コンテンツのやりとりを仲介することが可能な再生装置を提供する。【解決手段】ＢＤプレーヤ１００は、ＢＤ１５０のコンテンツを読み取る光ピックアップ１１と、コンテンツの再生を制御する制御部１６と、通信部１５とを備える。制御部１６は、コンテンツを再生する際に、再生されるコンテンツのメタ情報をユーザ情報とともに通信部１５によりサーバ装置３０１に送信し、所定のユーザに対する推奨コンテンツの一覧を通信部１５によりサーバ装置３０１に要求し、サーバ装置３０１によりメタ情報に基づいて作成される推奨コンテンツの一覧を通信部１５により受信した場合に、推奨コンテンツの一覧を表示装置２００に表示させる。【選択図】図１
2010250568.tif 000002
【特許請求の範囲】
【請求項１】
コンテンツを取得する取得部と、前記取得部により取得されたコンテンツの再生を制御する制御部と、通信部とを含む再生装置と、
制御部と、記憶部と、通信部とを含むサーバ装置と、を備えたコンテンツ紹介システムにおいて、
前記再生装置の制御部は、コンテンツを再生する際に、再生されるコンテンツに関連する情報をユーザ情報とともに前記通信部によりネットワークを介して前記サーバ装置に送信し、
前記サーバ装置の制御部は、前記通信部により前記コンテンツに関連する情報を受信した場合に、前記コンテンツに関連する情報をユーザ毎に分類して前記記憶部に記録し、
前記サーバ装置の制御部は、前記記憶部に記録されたコンテンツに関連する情報に基づいて、所定のユーザに対する推奨コンテンツの一覧を作成するとともに、作成した推奨コンテンツの一覧を前記通信部によりネットワークを介して前記再生装置に送信し、
前記再生装置の制御部は、前記通信部により前記推奨コンテンツの一覧を受信した場合に、前記推奨コンテンツの一覧を表示部に表示させる、ことを特徴とするコンテンツ紹介システム。
【請求項２】
請求項１に記載のコンテンツ紹介システムにおいて、
前記再生装置の制御部は、ユーザを認証するための認証画面を前記表示部に表示させ、前記認証画面において入力されたユーザ情報に基づいてユーザを識別する、ことを特徴とするコンテンツ紹介システム。
【請求項３】
請求項１または請求項２に記載のコンテンツ紹介システムにおいて、
前記サーバ装置の記憶部には、推奨コンテンツの一覧の提供を許可するユーザの一覧が記録されている、ことを特徴とするコンテンツ紹介システム。
【請求項４】
請求項１ないし請求項３のいずれかに記載のコンテンツ紹介システムにおいて、
前記コンテンツに関連する情報は、コンテンツのタイトルを含む、ことを特徴とするコンテンツ紹介システム。
【請求項５】
請求項１ないし請求項４のいずれかに記載のコンテンツ紹介システムにおいて、
前記再生装置の制御部は、前記表示部に表示された推奨コンテンツの一覧からコンテンツが選択された場合に、選択されたコンテンツを前記通信部を介して注文する、ことを特徴とするコンテンツ紹介システム。
【請求項６】
請求項１ないし請求項５のいずれかに記載のコンテンツ紹介システムにおいて、
前記再生装置の制御部は、前記所定のユーザに対する推奨コンテンツの一覧を前記通信部によりネットワークを介して前記サーバ装置に要求し、
前記サーバ装置の制御部は、前記通信部により前記所定のユーザに対する推奨コンテンツの一覧の要求を受信した場合に、前記所定のユーザに対する推奨コンテンツの一覧を作成し、作成した推奨コンテンツの一覧を前記通信部によりネットワークを介して前記再生装置に送信する、ことを特徴とするコンテンツ紹介システム。
【請求項７】
コンテンツを取得する取得部と、
前記取得部により取得されたコンテンツの再生を制御する制御部と、
通信部と、を備えた再生装置において、
前記制御部は、
コンテンツを再生する際に、再生されるコンテンツに関連する情報をユーザ情報とともに前記通信部によりネットワークを介してサーバ装置に送信し、
前記サーバ装置により前記コンテンツに関連する情報に基づいて作成される所定のユーザに対する推奨コンテンツの一覧を前記通信部により受信した場合に、前記推奨コンテンツの一覧を表示部に表示させる、ことを特徴とする再生装置。
【発明の詳細な説明】
【技術分野】
【０００１】
本発明は、コンテンツのやりとりを仲介するコンテンツ紹介システムおよび再生装置に関する。
【背景技術】
【０００２】
従来、プレゼント（コンテンツ）のやりとりを仲介するプレゼントサーバシステムが知られている（たとえば、特許文献１参照）。
【０００３】
上記特許文献１には、プレゼントの受け手側のユーザが希望するプレゼントを登録する希望プレゼント登録手段を備えたプレゼントサーバシステムが開示されている。そして、このプレゼントサーバシステムでは、プレゼントの贈り手側のユーザがサーバにアクセスして、受け手側のユーザが希望するプレゼントを購入する。
【先行技術文献】
【特許文献】
【０００４】
【特許文献１】特開２００４−２１３５８７号公報
【発明の概要】
【発明が解決しようとする課題】
【０００５】
しかしながら、上記特許文献１に開示された従来のプレゼントサーバシステムでは、受け手側のユーザが希望するプレゼントを登録する必要があり、受け手側のユーザの手間がかかるという問題点がある。
【０００６】
本発明は、上述した課題を解決するものであって、その目的とするところは、ユーザの手間がかかるのを抑制しながら、コンテンツのやりとりを仲介することが可能なコンテンツ紹介システムおよび再生装置を提供することである。
【課題を解決するための手段】
【０００７】
本発明のコンテンツ紹介システムは、コンテンツを取得する取得部と、取得部により取得されたコンテンツの再生を制御する制御部と、通信部とを含む再生装置と、制御部と、記憶部と、通信部とを含むサーバ装置と、を備えたコンテンツ紹介システムであって、再生装置の制御部は、コンテンツを再生する際に、再生されるコンテンツに関連する情報をユーザ情報とともに通信部によりネットワークを介してサーバ装置に送信する。サーバ装置の制御部は、通信部によりコンテンツに関連する情報を受信した場合に、コンテンツに関連する情報をユーザ毎に分類して記憶部に記録する。サーバ装置の制御部は、記憶部に記録されたコンテンツに関連する情報に基づいて、所定のユーザに対する推奨コンテンツの一覧を作成するとともに、作成した推奨コンテンツの一覧を通信部によりネットワークを介して再生装置に送信する。再生装置の制御部は、通信部により推奨コンテンツの一覧を受信した場合に、推奨コンテンツの一覧を表示部に表示させる。
【０００８】
このように構成することによって、所定のユーザ（プレゼントの受け手側のユーザ）の再生履歴に基づいて、推奨コンテンツの一覧が作成されるとともに、その推奨コンテンツの一覧が表示部に表示されることにより、プレゼントの受け手側のユーザが、自分の希望するプレゼント（コンテンツ）を登録しなくても、プレゼントの贈り手側のユーザが、受け手側のユーザが希望するであろうコンテンツを知ることができる。したがって、受け手側のユーザの手間がかかるのを抑制しながら、コンテンツのやりとりを仲介することができる。
【０００９】
上記コンテンツ紹介システムにおいて、再生装置の制御部は、ユーザを認証するための認証画面を表示部に表示させ、認証画面において入力されたユーザ情報に基づいてユーザを識別するようにしてもよい。このように構成すれば、ユーザを容易に識別することができる。
【００１０】
上記コンテンツ紹介システムにおいて、サーバ装置の記憶部には、推奨コンテンツの一覧の提供を許可するユーザの一覧が記録されていてもよい。このように構成すれば、ユーザの嗜好が他人（ユーザの一覧に登録されていないユーザ）に知られるのを防止することとができる。
【００１１】
上記コンテンツ紹介システムにおいて、コンテンツに関連する情報は、コンテンツのタイトルを含んでいてもよい。
【００１２】
上記コンテンツ紹介システムにおいて、再生装置の制御部は、表示部に表示された推奨コンテンツの一覧からコンテンツが選択された場合に、選択されたコンテンツを通信部を介して注文するようにしてもよい。
【００１３】
上記コンテンツ紹介システムにおいて、再生装置の制御部は、所定のユーザに対する推奨コンテンツの一覧を通信部によりネットワークを介してサーバ装置に要求し、サーバ装置の制御部は、通信部により所定のユーザに対する推奨コンテンツの一覧の要求を受信した場合に、所定のユーザに対する推奨コンテンツの一覧を作成し、作成した推奨コンテンツの一覧を通信部によりネットワークを介して再生装置に送信するようにしてもよい。
【００１４】
また、本発明の再生装置は、コンテンツを取得する取得部と、取得部により取得されたコンテンツの再生を制御する制御部と、通信部と、を備えた再生装置において、制御部は、コンテンツを再生する際に、再生されるコンテンツに関連する情報をユーザ情報とともに通信部によりネットワークを介してサーバ装置に送信し、サーバ装置によりコンテンツに関連する情報に基づいて作成される所定のユーザに対する推奨コンテンツの一覧を通信部により受信した場合に、推奨コンテンツの一覧を表示部に表示させる。
【００１５】
このように構成することによって、所定のユーザ（プレゼントの受け手側のユーザ）の再生履歴に基づいて作成される推奨コンテンツの一覧が表示部に表示されることにより、プレゼントの受け手側のユーザが希望するプレゼント（コンテンツ）を登録しなくても、プレゼントの贈り手側のユーザが、受け手側のユーザが希望するであろうコンテンツを知ることができる。したがって、受け手側のユーザの手間がかかるのを抑制しながら、コンテンツのやりとりを仲介することができる。
【発明の効果】
【００１６】
本発明によれば、ユーザの手間がかかるのを抑制しながら、コンテンツのやりとりを仲介することが可能なコンテンツ紹介システムおよび再生装置を提供することができる。
【図面の簡単な説明】
【００１７】
【図１】本発明の一実施形態によるＢＤプレーヤの全体構成を示したブロック図である。
【図２】表示装置に認証画面が表示された状態を示した図である。
【図３】サーバ装置に記録された再生履歴を説明するための図である。
【図４】サーバ装置に記録されたユーザの一覧を説明するための図である。
【図５】図１のＢＤプレーヤのプレゼント注文時の動作を説明するためのフローチャートである。
【図６】表示装置に注文画面が表示された状態を示した図である。
【発明を実施するための形態】
【００１８】
以下、本発明の実施形態について、図面を参照しながら説明する。なお、以下の実施形態では、再生装置の一例であるＢＤ（Blu-ray（登録商標） Disc）プレーヤに本発明を適用した場合について説明する。
【００１９】
まず、図１を参照して、本発明の一実施形態によるＢＤプレーヤ１００の構成について説明する。
【００２０】
本実施形態によるＢＤプレーヤ１００は、図１に示すように、表示装置２００が接続されるプレーヤ本体１と、プレーヤ本体１を遠隔操作するリモコン２とを備えている。
【００２１】
プレーヤ本体１は、光ピックアップ１１と、信号処理部１２と、出力インターフェース（以下、「出力Ｉ／Ｆ」という）１３と、受信部１４と、通信部１５と、制御部１６とを含んでおり、これらはバス１ａを介して接続されている。なお、光ピックアップ１１は、本発明の「取得部」の一例である。
【００２２】
光ピックアップ１１は、レーザ光源や受光部などを有しており、ＢＤ１５０に記録されたコンテンツの信号を読み取り（取得し）、その読み取られた信号を信号処理部１２に出力する。信号処理部１２は、デコーダ回路やＯＳＤ（On-Screen Display）回路などを有しており、光ピックアップ１１から入力された信号に対して所定の処理を施す。そして、信号処理部１２は、所定の処理が施された信号を出力Ｉ／Ｆ１３に出力する。
【００２３】
出力Ｉ／Ｆ１３は、たとえば、ＨＤＭＩ（High-Definition Multimedia Interface）端子であり、信号処理部１２から入力された信号を表示装置２００に出力する。表示装置２００は、たとえば、液晶テレビジョン受像機であり、プレーヤ本体１から出力された信号に基づいて映像などを表示する。なお、表示装置２００は、本発明の「表示部」の一例である。
【００２４】
受信部１４は、フォトダイオードなどを含み、リモコン２から出力されるリモコン信号を受信する。通信部１５は、ＬＡＮカードなどを有しており、ネットワーク３００を介してサーバ装置３０１および３０２と通信する。なお、ＢＤプレーヤ１００と、サーバ装置３０１とによりコンテンツ紹介システム５００が構成されている。
【００２５】
制御部１６は、ＣＰＵ、ＲＯＭ、およびＲＡＭなどを有しており、プレーヤ本体１の動作を制御する。具体的には、制御部１６は、光ピックアップ１１により読み取られたＢＤ１５０の再生を制御したり、後述する注文画面Ｗ２（図６参照）の表示を制御する。また、制御部１６は、サーバ装置３０１および３０２との通信を制御する。
【００２６】
プレーヤ本体１は、ユーザを識別可能に構成されている。たとえば、プレーヤ本体１は、起動された際に、信号処理部１２により、図２に示すような認証画面Ｗ１を表示装置２００に表示させる。この認証画面Ｗ１では、「ユーザ名」を入力する欄と、「パスワード」を入力する欄とが表示される。そして、プレーヤ本体１は、認証画面Ｗ１において、ユーザがリモコン２を操作することにより入力されるユーザ情報に基づいてユーザを識別する。このユーザ情報は、制御部１６のＲＯＭなどに記録される。
【００２７】
また、プレーヤ本体１は、コンテンツを再生する際に、再生されるコンテンツに関連する情報（メタ情報）を通信部１５によりサーバ装置３０１に送信する。このとき、プレーヤ本体１は、メタ情報とともに、コンテンツを再生しているユーザ（ログインしているユーザ）のユーザ情報を通信部１５によりサーバ装置３０１に送信する。なお、メタ情報には、コンテンツのタイトルなどが含まれる。
【００２８】
リモコン２は、ユーザからの操作指令を受け付ける操作ボタンや、操作指令に応じてリモコン信号を発信する発信部などを有する。
【００２９】
サーバ装置３０１は、ＣＰＵ、ＲＯＭ、およびＲＡＭなどを有する制御部３０１ａと、ハードディスクなどを有する記憶部３０１ｂと、ＬＡＮカードなどを有する通信部３０１ｃとを含んでいる。サーバ装置３０１は、通信部３０１ｃによりメタ情報およびユーザ情報を受信した場合に、メタ情報をユーザ毎に分類して記憶部３０１ｂに記録する。たとえば、記憶部３０１ｂには、図３に示すように、各ユーザがそれぞれ再生したコンテンツのタイトルが、ユーザ毎に記録されている。すなわち、記憶部３０１ｂには、各ユーザのコンテンツの再生履歴が記録されている。図３に示した記憶部３０１ｂには、「ユーザＡ」の再生履歴として「コンテンツ１」が記録され、「ユーザＢ」の再生履歴として「コンテンツ２」、「コンテンツ３」、および「コンテンツ４」が記録され、「ユーザＺ」の再生履歴として「コンテンツ２」、「コンテンツ４」、および「コンテンツ５」が記録されている。なお、図３では省略したが、記憶部３０１ｂには、「ユーザＡ」、「ユーザＢ」、および「ユーザＺ」以外のユーザの再生履歴も記録されている。
【００３０】
また、サーバ装置３０１の記憶部３０１ｂには、図４に示すように、各ユーザ毎に、推奨コンテンツの一覧の提供を許可するユーザの一覧が記録されている。このユーザの一覧は、各ユーザがリモコン２を操作することにより、表示装置２００に表示されるメニュー画面（図示省略）において設定される。図４に示した記憶部３０１ｂには、「ユーザＡ」に対する推奨コンテンツの一覧の提供を許可するユーザは記録されていない。また、記憶部３０１ｂには、「ユーザＢ」に対する推奨コンテンツの一覧の提供を許可するユーザとして「ユーザＡ」が記録され、「ユーザＺ」に対する推奨コンテンツの一覧の提供を許可するユーザとして「ユーザＷ」、「ユーザＸ」、および「ユーザＹ」が記録されている。なお、図４では省略したが、記憶部３０１ｂには、「ユーザＡ」、「ユーザＢ」、および「ユーザＺ」以外のユーザについてもユーザの一覧が記録されている。
【００３１】
また、記憶部３０１ｂには、コンテンツの一覧と、コンテンツの商品情報とが記録されている。なお、コンテンツの商品情報とは、コンテンツの価格、概要、およびジャケット画像などの情報である。また、記憶部３０１ｂには、コンテンツの内容（コンテンツ自体）は記録されていない。
【００３２】
サーバ装置３０２は、ＢＤプレーヤ１００からの注文を受け付ける機能を有する。このサーバ装置３０２は、ＣＰＵ、ＲＯＭ、およびＲＡＭなどを有する制御部３０２ａと、ハードディスクなどを有する記憶部３０２ｂと、ＬＡＮカードなどを有する通信部３０２ｃとを含んでいる。
【００３３】
次に、図５を参照して、本実施形態によるＢＤプレーヤ１００のプレゼント注文時の動作について説明する。なお、以下の動作説明では、プレゼントの贈り手側のユーザ（以下、「ユーザＡ」という）がＢＤプレーヤ１００を用いて、プレゼントの受け手側のユーザ（以下、「ユーザＢ」という）に贈るプレゼント（コンテンツ）を注文する際の動作について説明する。また、このフローチャートにおいて、ＢＤプレーヤ１００およびサーバ装置３０１の各ステップは、それぞれ、制御部１６および３０１ａにより実行される。
【００３４】
まず、ＢＤプレーヤ１００（図１参照）では、図５のステップＳ１において、通信部１５（図１参照）により、ユーザＢに対する推奨コンテンツの一覧をネットワーク３００を介してサーバ装置３０１（図１参照）に要求する。この推奨コンテンツの一覧の要求は、たとえば、ユーザＡによりリモコン２（図１参照）が操作されることによって、受信部１４（図１参照）が所定のリモコン信号を受信した場合に行われる。このとき、推奨コンテンツの一覧を要求するユーザＡのユーザ情報もサーバ装置３０１に送信される。
【００３５】
そして、サーバ装置３０１では、ステップＳ１１において、ネットワーク３００を介して通信部３０１ｃ（図１参照）がＢＤプレーヤ１００から推奨コンテンツの一覧の要求を受信したか否かが判断される。推奨コンテンツの一覧の要求を受信していないと判断された場合には、ステップＳ１１が繰り返し行われる。すなわち、サーバ装置３０１は、推奨コンテンツの一覧の要求を受信するまで待機する。そして、推奨コンテンツの一覧の要求を受信したと判断された場合には、ステップＳ１２に移る。
【００３６】
次に、ステップＳ１２において、記憶部３０１ｂ（図１参照）に記録されたユーザの一覧に基づいて、ユーザＢに対する推奨コンテンツの一覧をユーザＡに提供してもよいか否かが判断される。具体的には、ユーザＢが推奨コンテンツの一覧の提供を許可するユーザの一覧に、ユーザＡが含まれているか否かが判断される。ユーザの一覧にユーザＡが含まれていない場合には、推奨コンテンツの一覧を送信することなく、動作が終了する。その一方、図４に示すように、ユーザＢが推奨コンテンツの一覧の提供を許可するユーザの一覧に、ユーザＡが含まれている場合には、ステップＳ１３に移る。
【００３７】
次に、ステップＳ１３において、記憶部３０１ｂに記録されたユーザＢの再生履歴に基づいて、推奨コンテンツの一覧が作成される。推奨コンテンツとしては、たとえば、ユーザＢの再生履歴と傾向が近い再生履歴を有するユーザが再生したコンテンツであって、ユーザＢが再生していないコンテンツが選択される。そして、ステップＳ１４において、通信部３０１ｃにより、作成された推奨コンテンツの一覧と、推奨コンテンツの商品情報とがネットワーク３００を介してＢＤプレーヤ１００に送信される。
【００３８】
ＢＤプレーヤ１００では、ステップＳ２において、推奨コンテンツの一覧を通信部１５が受信したか否かが判断される。推奨コンテンツの一覧を受信していないと判断された場合には、推奨コンテンツの一覧の提供が許可されていないと判断され、プレゼント注文時の動作が終了する。その一方、推奨コンテンツの一覧を受信したと判断された場合には、ステップＳ３に移る。
【００３９】
次に、ステップＳ３において、信号処理部１２（図１参照）により生成された注文画面Ｗ２が表示装置２００に表示される。このとき、注文画面Ｗ２には、たとえば、図６に示すように、推奨コンテンツの一覧Ｌ（図６では、「コンテンツ５」、「コンテンツ６」、「コンテンツ７」）が表示されるとともに、価格情報Ｐ（図６では、「○○○円」、「×××円」、「△△△円」）が表示される。また、この注文画面Ｗ２には、推奨コンテンツを注文することなく注文画面Ｗ２を閉じるための項目Ｎ（図６では、「注文しない」）が表示される。そして、注文画面Ｗ２では、ユーザがリモコン２を用いてカーソルＣを操作することにより、「コンテンツ５」、「コンテンツ６」、「コンテンツ７」、および、「注文しない」のいずれかを選択することが可能である。
【００４０】
次に、ステップＳ４において、推奨コンテンツの一覧からコンテンツが選択されたか否かが判断される。図６の例では、「コンテンツ５」、「コンテンツ６」、「コンテンツ７」のいずれかが選択されたか否かが判断される。そして、推奨コンテンツの一覧からコンテンツが選択されたと判断された場合には、ステップＳ５に移る。その一方、推奨コンテンツの一覧からコンテンツが選択されていないと判断された場合、たとえば、「注文しない」が選択されたと判断された場合には、注文画面Ｗ２が閉じられ、プレゼント注文時の動作が終了する。
【００４１】
次に、ステップＳ５において、選択されたコンテンツを通信部１５およびネットワーク３００を介してサーバ装置３０２に注文し、プレゼント注文時の動作が終了する。そして、サーバ装置３０２においてコンテンツが注文されたと判断された場合には、サーバ装置３０２の管理者などによりコンテンツが記録された記憶媒体がユーザＢに発送される。なお、記憶媒体の発送先であるユーザＢの住所は、コンテンツの注文時にユーザＡにより指定される。
【００４２】
本実施形態では、上記のように、プレゼントの受け手側のユーザＢの再生履歴に基づいて、推奨コンテンツの一覧が作成されるとともに、その推奨コンテンツの一覧Ｌが表示装置２００に表示されることによって、ユーザＢが自分の希望するプレゼント（コンテンツ）を登録しなくても、プレゼントの贈り手側のユーザＡが、ユーザＢが希望するであろうコンテンツを知ることができる。したがって、ユーザＢの手間がかかるのを抑制しながら、プレゼントのやりとりを仲介することができる。
【００４３】
また、本実施形態では、認証画面Ｗ１を表示装置２００に表示することによって、ＢＤプレーヤ１００のユーザを容易に識別することができる。
【００４４】
また、本実施形態では、サーバ装置３０１の記憶部３０１ｂに推奨コンテンツの一覧の提供を許可するユーザの一覧が記録されることによって、ユーザの嗜好が他人（ユーザの一覧に登録されていないユーザ）に知られるのを防止することとができる。
【００４５】
また、本実施形態では、推奨コンテンツの一覧Ｌとともに、価格情報Ｐを表示することによって、ユーザがコンテンツを注文するか否かを判断しやすくすることができる。
【００４６】
本発明は、上述した以外にも種々の実施形態を採用することができる。たとえば、上記実施形態では、再生装置の一例であるＢＤプレーヤ１００に本発明を適用する例を示したが、これに限らず、ハードディスクレコーダなどのその他の再生装置に本発明を適用してもよい。
【００４７】
また、上記実施形態において、コンテンツが再生された場合に、メタ情報が送信される例を示したが、この再生されるコンテンツは、ＢＤ１５０に記録されたコンテンツであってもよいし、ネットワーク３００を介して提供されたコンテンツであってもよい。すなわち、上記実施形態では、本発明の取得部の一例として光ピックアップ１１を示したが、これに限らず、通信部１５が取得部として機能するようにしてもよい。
【００４８】
また、上記実施形態において、プレゼントの贈り手側のユーザと、プレゼントの受け手側のユーザとが同じＢＤプレーヤ１００を利用してもよいし、プレゼントの贈り手側のユーザと、プレゼントの受け手側のユーザとがそれぞれ異なるＢＤプレーヤ１００を利用してもよい。
【００４９】
また、上記実施形態において、ユーザがＢＤプレーヤ１００を用いて、サーバ装置３０１に欲しいコンテンツを登録することができるようにしてもよい。そして、そのユーザが欲しいコンテンツを推奨コンテンツとしてもよい。また、ユーザが欲しいコンテンツに基づいて、推奨コンテンツの一覧を作成するようにしてもよい。
【００５０】
また、上記実施形態では、推奨コンテンツの一覧を提供するサーバ装置３０１と、注文を受け付けるサーバ装置３０２とが設けられる例を示したが、これに限らず、推奨コンテンツの一覧を提供するとともに、注文を受け付ける１つのサーバ装置が設けられていてもよい。
【００５１】
また、上記実施形態では、記憶媒体の発送先であるユーザＢの住所が、コンテンツの注文時にユーザＡにより指定される例を示したが、これに限らず、たとえば、サーバ装置３０１にユーザＢの住所が予め登録されるとともに、登録された住所が推奨コンテンツの一覧とともにＢＤプレーヤ１００に送信され、ＢＤプレーヤ１００がコンテンツの注文時に受信した住所をサーバ装置３０２に送信するようにしてもよい。
【００５２】
また、上記実施形態では、推奨コンテンツの一覧と、推奨コンテンツの商品情報とがサーバ装置３０１から送信される例を示したが、これに限らず、推奨コンテンツの一覧のみがサーバ装置３０１から送信されるようにしてもよい。この場合に、サーバ装置３０２に商品情報が記録されるとともに、サーバ装置３０２から推奨コンテンツの商品情報が提供されるようにしてもよい。
【００５３】
また、上記実施形態では、注文画面Ｗ２において推奨コンテンツの一覧が表示される例を示したが、これに限らず、たとえば、コンテンツが再生されているときに、コンテンツの映像に重ねて推奨コンテンツの一覧が表示されるようにしてもよい。具体的には、推奨コンテンツが順にテロップ表示されるようにしてもよい。
【００５４】
また、上記実施形態において、ＢＤプレーヤ１００がコンテンツを注文する際に、コンテンツを注文したという情報をサーバ装置３０１に送信するようにしてもよいし、サーバ装置３０２が注文を受け付けた際に、コンテンツが注文されたという情報をサーバ装置３０１に送信するようにしてもよい。この場合、その後提供される推奨コンテンツの一覧から注文されたコンテンツを除外することが可能である。
【００５５】
また、上記実施形態では、注文画面Ｗ２に価格情報Ｐが表示される例を示したが、これに限らず、注文画面Ｗ２にコンテンツの概要やジャケット画像などのその他の商品情報が表示されるようにしてもよい。このように構成すれば、ユーザがコンテンツを注文するか否かをより判断しやすくすることができる。
【００５６】
また、上記実施形態では、コンテンツが注文された場合に、コンテンツが記録された記憶媒体がユーザＢに発送される例を示したが、これに限らず、たとえば、サーバ装置３０２にコンテンツが記録されており、サーバ装置３０２から注文されたコンテンツがネットワーク３００を介してユーザＢに提供（ダウンロードまたはストリーミング）されるようにしてもよい。
【００５７】
また、上記実施形態では、受信部１４が所定のリモコン信号を受信した場合に、推奨コンテンツの一覧が要求される例を示したが、これに限らず、たとえば、ユーザＡがコンテンツを視聴しているときに、所定の時間間隔で推奨コンテンツの一覧が要求されるようにしてもよい。
【００５８】
また、上記実施形態では、認証画面Ｗ１において入力されたユーザ情報に基づいてユーザを識別する例を示したが、これに限らず、再生されるコンテンツに基づいてユーザを識別するようにしてもよい。具体的には、ユーザ情報に年齢が含まれており、ＢＤプレーヤ１００に３０歳のユーザＡと、１０歳のユーザＢとが登録されている場合において、１５歳未満の視聴が禁止される年齢制限が付されたコンテンツが再生された場合には、ユーザＡであると判断される。
【００５９】
また、上記実施形態において、推奨コンテンツの一覧を要求する前に、ユーザＡが推奨コンテンツの一覧の提供を受けることが可能なユーザの一覧をサーバ装置３０１から取得するようにしてもよい。
【００６０】
また、上記実施形態では、サーバ装置３０１が、推奨コンテンツの一覧の要求を受信した後に、推奨コンテンツの一覧を作成する例を示したが、これに限らず、サーバ装置３０１が、推奨コンテンツの一覧の要求を受信する前に、推奨コンテンツの一覧を作成するようにしてもよい。すなわち、サーバ装置３０１が、ＢＤプレーヤ１００からメタ情報を受信してユーザの再生履歴を更新する際に、そのユーザの推奨コンテンツの一覧を作成するようにしてもよい。
【００６１】
また、上記実施形態では、サーバ装置３０１が、ＢＤプレーヤ１００から推奨コンテンツの一覧の要求を受信した場合に推奨コンテンツの一覧を作成し、ＢＤプレーヤ１００に推奨コンテンツの一覧を提供する例を示したが、これに限らず、サーバ装置３０１が、ＢＤプレーヤ１００から推奨コンテンツの一覧の要求を受信するか否かにかかわらず、所定の時間間隔毎に、推奨コンテンツの一覧を作成し、ＢＤプレーヤ１００に推奨コンテンツの一覧を提供するようにしてもよい。
【００６２】
また、上記実施形態において、サーバ装置３０１がＢＤプレーヤ１００のファームウェアを配信するようにしてもよい。
【符号の説明】
【００６３】
１１      光ピックアップ（取得部）
１５      通信部
１６      制御部
１００    ＢＤプレーヤ（再生装置）
２００    表示装置（表示部）
３００    ネットワーク
３０１    サーバ装置
３０１ａ  制御部
３０１ｂ  記憶部
３０１ｃ  通信部
５００    コンテンツ紹介システム
【図１】
2010250568.tif 000003
【図２】
2010250568.tif 000004
【図３】
2010250568.tif 000005
【図４】
2010250568.tif 000006
【図５】
2010250568.tif 000007
【図６】
2010250568.tif 000008